(57)【要約】【課題】細片に破砕されても、固形化粧料をスポンジやパフなどの化粧具に適切に付着させることが可能で、使用性を改善することができるコンパクト容器の提供を目的とする。【解決手段】細片に破砕され得る固形化粧料Ｐが充填され、かつ当該固形化粧料を化粧具で擦り取るための開口部２が形成されて、容器本体３の左側収納部４ａに収納される化粧料皿５と、化粧料皿の開口部周縁に固定して設けられる環状の枠体６と、枠体に開口部を覆って設けられ、化粧料皿内へ向かって伸展される伸縮性を有するメッシュ状のカバー７とを備えた。化粧料皿の開口部周縁には、枠体の固定位置を位置決めする位置決め部１７が形成されている。【選択図】図２
2008099894.tif 000002
【特許請求の範囲】
【請求項１】
細片に破砕され得る固形化粧料が充填され、かつ当該固形化粧料を化粧具で擦り取るための開口部が形成されて、容器本体の収納部に収納される化粧料皿と、該化粧料皿の上記開口部周縁に固定して設けられる環状の枠体と、該枠体に上記開口部を覆って設けられ、上記化粧料皿内へ向かって伸展される伸縮性を有するメッシュ状のカバーとを備えたことを特徴とするコンパクト容器。
【請求項２】
前記化粧料皿の前記開口部周縁には、前記枠体の固定位置を位置決めする位置決め部が形成されていることを特徴とする請求項１に記載のコンパクト容器。
【発明の詳細な説明】
【技術分野】
【０００１】
本発明は、細片に破砕されても、固形化粧料をスポンジやパフなどの化粧具に適切に付着させることが可能で、使用性を改善することができるコンパクト容器に関する。
【背景技術】
【０００２】
粉末化粧料を収納した化粧料容器に、粉末化粧料のパフへの付着操作を良好にする目的で、伸縮性のネットを展張させて設けた「粉末化粧料容器の伸縮性ネットシフタ」が知られている（特許文献１参照）。
【特許文献１】実開昭６３−１７７４０６号公報
【発明の開示】
【発明が解決しようとする課題】
【０００３】
ファンデーションやブラッシャー等の固形化粧料の場合には、粉末化粧料の場合とは異なり、スポンジやパフ、筆などの化粧具を直接擦り付けることで適度な量の化粧料を取り出すことができるため、化粧料を覆うネットを設ける必要性はなかった。
【０００４】
他方、固形化粧料は、粉末化粧料とは異なり、化粧料容器の落下などで衝撃が加わると、化粧料に割れが生じて細片化するため、その後の使用に不都合が生じるという課題があった。具体的には、細片化した化粧料をそのままにして使用しようとすると、うまくスポンジ等に化粧料を付着させることができず、また細片を取り除くのでは、化粧料として使用可能であるにもかかわらず、使わないまま捨てることとなり、不経済であるという課題があった。
【０００５】
本発明は上記従来の課題に鑑みて創案されたものであって、細片に破砕されても、固形化粧料をスポンジやパフなどの化粧具に適切に付着させることが可能で、使用性を改善することができるコンパクト容器を提供することを目的とする。
【課題を解決するための手段】
【０００６】
本発明にかかるコンパクト容器は、細片に破砕され得る固形化粧料が充填され、かつ当該固形化粧料を化粧具で擦り取るための開口部が形成されて、容器本体の収納部に収納される化粧料皿と、該化粧料皿の上記開口部周縁に固定して設けられる環状の枠体と、該枠体に上記開口部を覆って設けられ、上記化粧料皿内へ向かって伸展される伸縮性を有するメッシュ状のカバーとを備えたことを特徴とする。
【０００７】
前記化粧料皿の前記開口部周縁には、前記枠体の固定位置を位置決めする位置決め部が形成されていることを特徴とする。
【発明の効果】
【０００８】
本発明にかかるコンパクト容器にあっては、細片に破砕されても、固形化粧料をスポンジやパフなどの化粧具に適切に付着させることができ、使用性を改善することができる。
【発明を実施するための最良の形態】
【０００９】
以下に、本発明にかかるコンパクト容器の好適な一実施形態を、添付図面を参照して詳細に説明する。本実施形態にかかるコンパクト容器は基本的には、図１および図２に示すように、細片に破砕され得る固形化粧料Ｐが充填され、かつ当該固形化粧料Ｐを化粧具で擦り取るための開口部２が形成されて、容器本体３の収納部４ａに収納される化粧料皿５と、化粧料皿５の開口部２周縁に固定して設けられる環状の枠体６と、枠体６に開口部２を覆って設けられ、化粧料皿５内へ向かって伸展される伸縮性を有するメッシュ状のカバー７とを備えて構成される。
【００１０】
容器本体３は合成樹脂材で形成され、その後端部には、容器本体３を開閉するために、鏡８を備えた合成樹脂製の蓋体９がヒンジピン１０を介して回動自在に連結される。蓋体９の前端部に形成されたフック片１１が容器本体３の前端部の凹所１２内に形成されたフック突起１３に係脱自在に係合され、これにより容器本体３は蓋体９で閉じられる。容器本体３内には、左右方向中央に形成された仕切り壁１４で左右一対の収納部４ａ，４ｂが形成される。右側収納部４ｂには、スポンジやパフ、筆などの化粧具が収納される。右側収納部４ｂの底面には、これを貫通して換気孔１５が形成される。
【００１１】
左側収納部４ａには、合成樹脂製の化粧料皿５が収納される。化粧料皿５は、底部５ａと、この底部５ａの周縁から立ち上げて環状に形成された周壁部５ｂとから、上部に開口部２を有する浅底の中空筒体状に形成される。この化粧料皿５内部には、開口部２から化粧料が充填される。化粧料としては、粉末化粧料とは異なり、衝撃等が加わると細片に破砕され得る、硬く脆い性質を有する固形化粧料Ｐを対象とする。化粧料皿５内に充填された固形化粧料Ｐは、化粧料皿５の開口部２を介してこれに擦り付けられるスポンジやパフ、筆などの化粧具に付着される。この化粧料皿５は、左側収納部４ａに取り外し可能に収納される。容器本体３の仕切り壁１４には、これを下方へ窪ませて、化粧料皿５の取り外し操作のための窪み部１６が形成される。窪み部１６に手指を挿入して化粧料皿５を引き上げることで、取り外し操作できるようになっている。
【００１２】
環状の枠体６は、合成樹脂材で形成される。枠体６は、化粧料皿５の開口部２周縁を区画する周壁部５ｂ上端に、超音波接着や接着剤で貼り付けることにより、固定して設けられる。枠体６は好ましくは、その内径および外径がそれぞれ、周壁部５ｂ上端の内径および外径にほぼ一致させて形成される。
【００１３】
枠体６には、その内方に張り渡してカバー７が設けられる。このカバー７は枠体６に、インサート成形により一体的に、あるいは接着剤などによって取り付けられる。カバー７は、伸展自在な伸縮性を有する合成樹脂材等でメッシュ状に形成される。具体的には例えば、極細繊維を伸び縮みするように網目状に編んだ布状材が用いられる。女性用ストッキングに用いられる薄手の合成繊維素材などが好ましい。この種の材料は、引き延ばして伸展させた状態から解放すると、縮んで元の状態に復原する弾性的性質を有する。また、メッシュの寸法は、細片の通過を妨げるように、ミクロンオーダーからミリメートルオーダーとされる。カバー７は、それを形成する布状材等を二重折りするなどして、形成されるメッシュの形状が不規則になり、またメッシュ寸法がさらに細かくなるようにしても良い。また、カバー７は、多孔性ゴムシートであっても良い。
【００１４】
カバー７は、適度なテンションを加えた引張状態で枠体６に固定される。そしてカバー７は、枠体６を化粧料皿５の周壁部５ｂ上端に配置することで、化粧料皿５の開口部２全面を覆って、化粧料皿５内へ向かって伸展可能に設けられる。
【００１５】
次に、本実施形態にかかるコンパクト容器の作用について説明する。製造にあたっては、あらかじめカバー７を枠体６に一体的に取り付けておく。他方、化粧料皿５内に固形化粧料Ｐを充填する。その後、カバー７付の枠体６を、化粧料皿５の周壁部５ｂ上端に固定して取り付ける。これにより、製品もしくはパーツとしての化粧料皿５が完成される。この化粧料皿５は、容器本体３の左側収納部４ａに収納される。使用に際しては、蓋体９を開放し、化粧具をカバー７の上から擦り付けるようにする。これにより、化粧料皿５内の固形化粧料Ｐを化粧具に付着させることができる。
【００１６】
特に本実施形態にあっては、カバー７で化粧料皿５の開口部２全面を覆っているので、コンパクト容器の落下で衝撃が加わるなどして固形化粧料Ｐが破砕され、細片化したとしても、これら細片が飛び散ることを防止することができる。また、破砕された細片をそのまま化粧料皿５内に保持することができる。さらに、カバー７をメッシュ状としたので、固形化粧料Ｐが破砕により細片化しても、カバー７の上から化粧具を擦り付けることで適切に付着させることができ、継続して無駄なく固形化粧料Ｐを使用することができる。
【００１７】
また、カバー７を、化粧料皿５内方へ伸展される伸縮性を有するメッシュ状としたので、化粧具を押し付ければカバー７が伸びて、化粧料皿５の内部隅々まで化粧具を擦り付けることができ、固形化粧料Ｐが残り少なくなっても、不都合なく容易に固形化粧料Ｐを化粧具に付着させることができる。また、押し付けていた化粧具をカバー７から離せば、カバー７は縮んで元に戻り、化粧料皿５の開口部２周りの外観を美麗に維持することができる。さらに、カバー７を環状の枠体６に設けて、当該枠体６を介して化粧料皿５に取り付けるようにしたので、化粧料皿５に固形化粧料Ｐを充填する作業とは別に、カバー７付きの枠体６を準備しておくことができ、固形化粧料を充填した後にカバーを直接化粧料皿に取り付ける場合にカバーの張り具合の調整が難しかったり、カバーで固形化粧料表面を傷付けてしまうおそれがあることに比べて、カバー７の化粧料皿５への組み付け作業性を改善でき、生産工程を合理化することができる。
【００１８】
図３〜図５には、上記実施形態の変形例が示されている。これら変形例ではいずれにあっても、化粧料皿５の開口部２周縁に、枠体６の固定位置を位置決めする位置決め部１７が形成されている。図３では、化粧料皿５の周壁部５ｂ上端の外周縁側に、環状の外向き段差部１８が形成され、これにより枠体６の内周面を外向き段差部１８の外周面で係止して、枠体６を化粧料皿５に対し位置決めして取り付けることができるようになっている。図４では、化粧料皿５の周壁部５ｂ上端の内周縁側に、環状の内向き段差部１９が形成され、これにより枠体６の外周面を内向き段差部１９の内周面に当接させて、枠体６を化粧料皿５に対し位置決めして取り付けることができるようになっている。
【００１９】
図５では、化粧料皿５の周壁部５ｂ外周に形成した環状の切り欠き部２０と、この切り欠き部２０に固定される側断面Ｌ字状の環状体２１とで、周壁部５ｂ上端上に横向きに環状の位置決め溝２２を形成し、この位置決め溝２２に枠体６を差し込むことで当該枠体６を化粧料皿５に対し位置決めして取り付けることができるようになっている。環状体２１は、枠体６を周壁部５ｂ上端に配置した後で、切り欠き部２０に固定するようにしてもよい。これらいずれの変形例にあっても、枠体６を化粧料皿５に容易に位置固定することができ、カバー７付きの枠体６を化粧料皿５に固定する組み付け操作の機械化を促進して、生産性を向上することができる。
【図面の簡単な説明】
【００２０】
【図１】本発明にかかるコンパクト容器の好適な一実施形態を示す分解斜視図である。
【図２】図１に示したコンパクト容器における化粧料皿の装着状態を示す側断面図である。
【図３】図１に示したコンパクト容器に適用される化粧料皿の変形例を示す側断面図である。
【図４】図１に示したコンパクト容器に適用される化粧料皿の他の変形例を示す側断面図である。
【図５】図１に示したコンパクト容器に適用される化粧料皿のさらに他の変形例を示す側断面図である。
【符号の説明】
【００２１】
２  開口部
３  容器本体
４ａ  左側収納部
５  化粧料皿
６  枠体
７  カバー
１７  位置決め部
Ｐ  固形化粧料
【図１】
2008099894.tif 000003
【図２】
2008099894.tif 000004
【図３】
2008099894.tif 000005
【図４】
2008099894.tif 000006
【図５】
2008099894.tif 000007